(57)【特許請求の範囲】
【請求項１】
上沓と下沓とに挟まれた支持部を有する支承体と、この支承体の橋軸直角方向両側に設置され、前記下沓に直接または間接的に固定されるサイドブロックとを備えて、このサイドブロックに形成された上方突出部が、前記上沓に形成された切り欠き部に配置される支承装置を、橋桁と橋脚との間に、前記上沓と前記下沓の相対的な橋軸方向のずれ移動を阻止して固定する支承装置の据付方法であって、
前記下沓を前記橋脚側に固定し、前記上方突出部が前記切り欠き部の橋軸方向両端とすき間を有する状態にして前記上沓を前記橋桁側に固定することにより、前記上沓と前記下沓が相対的に橋軸方向に移動可能な状態で前記支承装置を前記橋桁と前記橋脚との間に仮置きし、この仮置き状態にする仮置き期間の経過後に、前記すき間にスペーサを橋軸直角方向外側から挿入することにより、前記上沓と前記下沓の相対的な橋軸方向の移動を阻止し、このスペーサの橋軸直角方向外側からこのスペーサを橋軸直角方向に貫通して前記サイドブロックに連結する固定部材によって、このスペーサと前記サイドブロックとを一体化することを特徴とする支承装置の据付方法。
【請求項２】
前記サイドブロックの前記上方突出部の橋軸直角方向外側および橋軸方向両側に載置部を形成し、前記固定部材によって、この載置部に載置した前記スペーサと前記サイドブロックとを一体化する請求項１に記載の支承装置の据付方法。
【請求項３】
前記スペーサが、橋軸直角方向に延びる挿入部とこの挿入部から橋軸方向に延びる取付部とを有し、前記挿入部を前記すき間に挿入するとともに、前記取付部を前記上方突出部の橋軸直角方向外側にして前記スペーサを配置し、前記取付部を橋軸直角方向に貫通する前記固定部材によって、前記スペーサと前記サイドブロックと一体化する請求項１または２に記載の支承装置の据付方法。
【請求項４】
前記スペーサを複数用いて、それぞれの前記挿入部を橋軸方向に重ねて前記すき間に挿入するとともに、それぞれの前記取付部を橋軸直角方向に重ねた状態にしてこれらスペーサを配置する請求項３に記載の支承装置の据付方法。
【請求項５】
上沓と下沓とに挟まれた支持部を有する支承体と、この支承体の橋軸直角方向両側に設置され、前記下沓に直接または間接的に固定されるサイドブロックとを備えて、このサイドブロックに形成された上方突出部が、前記上沓に形成された切り欠き部に配置されて、橋桁と橋脚との間に、前記上沓と前記下沓の相対的な橋軸方向のずれ移動が阻止されて固定して据え付けられる支承装置であって、
前記下沓が前記橋脚側に固定され、前記上方突出部が前記切り欠き部の橋軸方向両端とすき間を有する状態にして前記上沓が前記橋桁側に固定されることにより、前記上沓と前記下沓が相対的に橋軸方向に移動可能な状態で前記橋桁と前記橋脚との間に仮置きされ、
この仮置き状態にする仮置き期間の経過後に前記すき間に挿入されるスペーサと、このスペーサと前記サイドブロックとを一体化する固定部材とを備え、
前記スペーサが橋軸直角方向外側から前記すき間に挿入されることにより、前記上沓と前記下沓の相対的な橋軸方向の移動が阻止され、前記スペーサに橋軸直角方向に貫通する貫通穴が形成されていて、前記固定部材が前記スペーサの橋軸直角方向外側から前記貫通穴を貫通して前記サイドブロックに連結する構成にしたことを特徴とする支承装置。
【請求項６】
前記サイドブロックの前記上方突出部の橋軸直角方向外側および橋軸方向両側に、前記スペーサが載置される載置部が形成された請求項５に記載の支承装置。
【請求項７】
前記スペーサが、橋軸直角方向に延びる挿入部とこの挿入部から橋軸方向に延びる取付部とを有し、前記挿入部が前記すき間に挿入され、前記取付部を前記上方突出部の橋軸直角方向外側にして前記スペーサが配置され、前記取付部に前記貫通穴が形成された請求項５または６に記載の支承装置。
【請求項８】
前記スペーサを複数備え、それぞれの前記挿入部が橋軸方向に重なって前記すき間に挿入されるとともに、それぞれの前記取付部が橋軸直角方向に重なった状態でこれらスペーサが配置される請求項７に記載の支承装置。
【発明の詳細な説明】
【技術分野】
【０００１】
本発明は、支承装置の据付方法および支承装置に関し、さらに詳しくは、多点固定構造の橋梁を構成する橋桁と橋脚との間に支承装置を固定して据付ける場合に、据付施工中は橋桁の橋軸方向の変動を吸収する状態で支承装置を仮置きすることができ、仮置き期間の経過後には上沓と下沓の相対的な橋軸方向のずれ移動を容易に阻止することができる支承装置の据付方法およびこの据付方法に用いる支承装置に関するものである。
【背景技術】
【０００２】
橋梁を構成する橋桁と橋脚との間には、橋桁を支持する支承装置が設置される（例えば特許文献１参照）。図１に例示するように多点固定構造の橋梁１１を構築する際には、温度変化等に起因する橋桁１２の橋軸方向の変動（伸縮）を吸収するために、橋桁１２と橋脚１３との間に支承装置１４を橋軸方向Ｘに移動可能に仮置きした状態で施工を進める。施工中の橋桁１２の橋軸方向Ｘの変動は、仮置きした支承装置１４の上沓が下沓に対して橋軸方向Ｘに移動することにより吸収される。このような支承装置１４の中には、仮置き期間の経過後に、下沓に対する上沓の橋軸方向のずれ移動が阻止された状態で橋桁１２と橋脚１３との間に固定されるものがある。このようにずれ移動が阻止された支持装置１４は、施工後の供用に際しては、橋桁１２の上下回転だけを許容して橋桁１２を支持する。
【０００３】
上記のようにずれ移動が阻止された状態で使用される支承装置１４は例えば、据付施工中においては、上沓に形成された切り欠き部にサイドブロックの上方突出部を橋軸方向にすき間をあけて配置して仮置きする。これにより、上沓と下沓の相対的な橋軸方向のずれ移動が可能になり、施工中の橋桁１２の橋軸方向Ｘの変動が吸収される。仮置き期間の経過後には、切り欠き部と上方突出部との橋軸方向のすき間を埋めるスペーサを設置すれば上沓と下沓の相対的な橋軸方向のずれ移動を阻止することが可能になる。ところが、スペーサを取付けて固定する作業を行なうための十分なスペースが無いため、この作業に多大な工数を要するという問題があった。
【先行技術文献】
【特許文献】
【０００４】
【特許文献１】特開２０１０−２７５７７９号公報
【発明の概要】
【発明が解決しようとする課題】
【０００５】
本発明の目的は、橋梁を構成する橋桁と橋脚との間に支承装置を固定して据付ける場合に、据付施工中は橋桁の橋軸方向の変動を吸収する状態で支承体装置を仮置きすることができ、仮置き期間の経過後には上沓と下沓の相対的な橋軸方向のずれ移動を容易に阻止することができる支承装置の据付方法およびこの据付方法に用いる支承装置を提供することにある。
【課題を解決するための手段】
【０００６】
上記目的を達成するため本発明の支承装置の据付方法は、上沓と下沓とに挟まれた支持部を有する支承体と、この支承体の橋軸直角方向両側に設置され、前記下沓に直接または間接的に固定されるサイドブロックとを備えて、このサイドブロックに形成された上方突出部が、前記上沓に形成された切り欠き部に配置される支承装置を、橋桁と橋脚との間に、前記上沓と前記下沓の相対的な橋軸方向のずれ移動を阻止して固定する支承装置の据付方法であって、前記下沓を前記橋脚側に固定し、前記上方突出部が前記切り欠き部の橋軸方向両端とすき間を有する状態にして前記上沓を前記橋桁側に固定することにより、前記上沓と前記下沓が相対的に橋軸方向に移動可能な状態で前記支承装置を前記橋桁と前記橋脚との間に仮置きし、この仮置き状態にする仮置き期間の経過後に、前記すき間にスペーサを橋軸直角方向外側から挿入することにより、前記上沓と前記下沓の相対的な橋軸方向の移動を阻止し、このスペーサの橋軸直角方向外側からこのスペーサを橋軸直角方向に貫通して前記サイドブロックに連結する固定部材によって、このスペーサと前記サイドブロックとを一体化することを特徴とする。
【０００７】
本発明の支承装置は、上沓と下沓とに挟まれた支持部を有する支承体と、この支承体の橋軸直角方向両側に設置され、前記下沓に直接または間接的に固定されるサイドブロックとを備えて、このサイドブロックに形成された上方突出部が、前記上沓に形成された切り欠き部に配置されて、橋桁と橋脚との間に、前記上沓と前記下沓の相対的な橋軸方向のずれ移動が阻止されて固定して据え付けられる支承装置であって、前記下沓が前記橋脚側に固定され、前記上方突出部が前記切り欠き部の橋軸方向両端とすき間を有する状態にして前記上沓が前記橋桁側に固定されることにより、前記上沓と前記下沓が相対的に橋軸方向に移動可能な状態で前記橋桁と前記橋脚との間に仮置きされ、この仮置き状態にする仮置き期間の経過後に前記すき間に挿入されるスペーサと、このスペーサと前記サイドブロックとを一体化する固定部材とを備え、前記スペーサが橋軸直角方向外側から前記すき間に挿入されることにより、前記上沓と前記下沓の相対的な橋軸方向の移動が阻止され、前記スペーサに橋軸直角方向に貫通する貫通穴が形成されていて、前記固定部材が前記スペーサの橋軸直角方向外側から前記貫通穴を貫通して前記サイドブロックに連結する構成にしたことを特徴とする。
【発明の効果】
【０００８】
本発明によれば、据付施工中にサイドブロックの上方突出部が、上沓に形成された切り欠き部の橋軸方向両端とすき間を有する状態に配置して支承装置を仮置きすることで、上沓と下沓が相対的に橋軸方向にずれ移動可能にできる。これに伴い、据付施工中は橋桁の橋軸方向の変動を吸収することができる。一方、仮置き期間の経過後には橋軸直角方向外側から前記すき間にスペーサを挿入して、このスペーサの橋軸直角方向外側から固定部材を貫通させて前記サイドブロックに連結することで、このスペーサと前記サイドブロックとを一体化する。これにより、上沓と下沓の相対的な橋軸方向のずれ移動を阻止することができる。そして、スペーサを取り付けて固定する作業は、施工現場において比較的広いスペースを確保できるサイドブロックの橋軸直角方向外側から行なうことができるので、多大な工数を要することがない。
【０００９】
ここで、前記サイドブロックの前記上方突出部の橋軸直角方向外側および橋軸方向両側に載置部を形成し、前記固定部材によって、この載置部に載置した前記スペーサと前記サイドブロックとを一体化することもできる。この場合、前記スペーサを前記載置部に載置した状態で前記スペーサをサイドブロックに固定する作業を行なうことができるので、作業を軽労化するには有利になる。
【００１０】
前記スペーサとしては様々な形状を採用することができるが、例えば、橋軸直角方向に延びる挿入部とこの挿入部から橋軸方向に延びる取付部とを有するスペーサを使用し、前記挿入部を前記すき間に挿入するとともに、前記取付部を前記上方突出部の橋軸直角方向外側にして前記スペーサを配置し、前記取付部を橋軸直角方向に貫通する前記固定部材によって、前記スペーサと前記サイドブロックと一体化する。
【００１１】
前記スペーサを複数用いて、それぞれの前記挿入部を橋軸方向に重ねて前記すき間に挿入するとともに、それぞれの前記取付部を橋軸直角方向に重ねた状態にしてこれらスペーサを配置することもできる。この場合、複数のスペーサの前記挿入部の厚さを組み合わせて前記すき間の寸法に合わせることができる。そのため、前記すき間の寸法に合致した挿入部を有するスペーサを用意する必要がなくなる。
【図面の簡単な説明】
【００１２】
【図１】橋脚と橋桁との間に固定される支承装置を例示する説明図である。
【図２】本発明の支承装置を橋桁と橋脚の間に仮置きした状態を例示する正面図である。
【図３】図２のＡ−Ａ断面図である。
【図４】図２に示した支承装置の上沓が下沓に対して橋軸方向にずれ移動した状態を正面視で例示する説明図である。
【図５】図４のＢ−Ｂ断面図である。
【図６】図５の支承装置にスペーサを取り付けた状態を正面視で例示する説明図である。
【図７】本発明の支承装置の別の実施形態を平面視で例示する説明図である。
【発明を実施するための形態】
【００１３】
以下、本発明の支承装置の据付方法および支承装置を、図に示した実施形態に基づいて説明する。尚、図面では、橋軸方向をＸ方向で示し、橋軸直角方向をＹ方向で示している。
【００１４】
図１に例示する本発明の支承装置１は、多点固定構造の橋梁１１を構成する橋桁１２と橋脚１３との間に据付けられるが、据付施工中は橋脚１３の上に仮置きされ、仮置き期間の経過後に橋脚１３の上の所定位置に固定される。この支承装置１は、図２、３に例示するように支承体２とサイドブロック８とを備えている。さらに、スペーサ９と、このスペーサ９とサイドブロック８とを一体化する固定部材１０（取付ボルト１０）とを備えている。スペーサ９および固定部材１０の詳細については後述する。
【００１５】
支承体２は、支持部３と上沓４と下沓５とで構成されている。この実施形態では支持部３は上沓４と下沓５とに挟まれてこれらに接合（加硫接着）されている。この支持部３はゴム層と鋼板とが上下に積層して一体化して形成されている。
【００１６】
支持部３はゴム層と鋼板との積層体に限らず、金属製の中間プレートや単純なゴムプレート等の他の構成にすることもできる。支承体２としては例えば、上沓４、中間プレート、ゴムプレート、下沓５の順に積層して構成された密閉型支承体など、種々のタイプを用いることができる。支持部３の形状は四角柱状に限らず、例えば、円柱状や四角柱以外の多角柱状を採用することもできる。上沓４および下沓５は四角形状に限らず、円形状等他の形状にすることもできる。
【００１７】
サイドブロック８は支承体２の橋軸直角方向両側に設置されている。サイドブロック８は、橋軸方向中央部に上方突出部８ａを有している。この実施形態では、上方突出部８ａがサイドブロック８の橋軸直角方向で支承体２側に偏って形成されている。これにより、上方突出部８ａの橋軸直角方向外側および橋軸方向両側に平坦な載置部８ｃが形成されている。サイドブロック８には、橋軸直角方向外側から内側に延びるボルト穴８ｂが形成されている。
【００１８】
サイドブロック８は、下沓５に直接または間接的に固定されている。この実施形態では、サイドブロック８が下沓５の上に載置されて、サイドブロック８を上下に貫通する貫通穴８ｄを挿通する固定ボルト８ｅによって下沓５に直接固定されている。
【００１９】
下沓５はベースプレート７の上に載置されてベースプレート７に固定されている。ベースプレート７は、橋脚１３の上端部に固定されている。
【００２０】
上沓４はソールプレート６の下面に固定されている。ソールプレート６は、橋桁１２の下端部に固定されている。
【００２１】
上沓４の橋軸直角方向両側の橋軸方向中央部には切り欠き部４ａが形成されている。この切り欠き部４ａに上方突出部８ａが配置されている。切り欠き部４ａの橋軸方向長さは上方突出部８ａの橋軸方向長さよりも長く設定されている。支承装置１の仮置き状態では、上方突出部８ａが切り欠き部４ａの橋軸方向両端とすき間Ｓ、Ｓを有する状態で上沓４がソールプレート６に固定されている。このすき間Ｓ、Ｓを設けることにより、上沓４と下沓５が相対的に橋軸方向に移動可能な状態になっている。
【００２２】
次に、支承装置１を据え付ける手順を以下に説明する。
【００２３】
支承装置１の据え付け施工が完了するまで、支承装置１は図２、図３に例示するように仮置き状態にされる。支承装置１の仮置き中に、橋桁１２等の上部工が温度変化等に起因して橋軸方向に伸縮するが、上方突出部８ａが切り欠き部４ａの橋軸方向両端とすき間Ｓ、Ｓを有しているので、支持部３がせん断変形することによって、図４、図５に例示するように上沓４と下沓５が相対的に橋軸方向にずれ移動する。これに伴い、据付施工中は橋桁１２の橋軸方向の変動を吸収することができる。すき間Ｓ、Ｓの大きさはすき間Ｓ１、Ｓ２に変化する。
【００２４】
支承装置１の仮置き期間の経過後には図５、図６に例示するように、スペーサ９を橋軸直角方向外側からすき間Ｓ１、Ｓ２に挿入する。例えば、すき間Ｓ１、Ｓ２を測定した後、このすき間Ｓ１、Ｓ２と同等の厚さ（橋軸方向寸法）の挿入部９ｂを有するスペーサ９を用意する。この実施形態では、２つの挿入部９ｂが取付部９ｃの橋軸方向両端部に接合されていて、平面視でＣ字形状のスペーサ９になっている。このスペーサ９の取付部９ｃには、橋軸直角方向に貫通する貫通穴９ａが形成されている。そして、挿入部９ｂをすき間Ｓ１、Ｓ２に挿入するとともに、取付部９ｃを上方突出部８ａの橋軸直角方向外側にしてスペーサ９を配置する。この実施形態では、すき間Ｓ１、Ｓ２に合致した挿入部９ｂを備えたスペーサ９を用意できるので、精度よく挿入部９ｂをすき間Ｓ１、Ｓ２に挿入することができる。
【００２５】
このスペーサ９の橋軸直角方向外側から、取付ボルト１０を貫通穴９ａを貫通させてサイドブロック８（上方突出部８ａ）のボルト穴８ｂに螺合させて連結させる。この取付ボルト１０によってスペーサ９とサイドブロック８とが一体化する。すき間Ｓ１、Ｓ２にスペーサ９の挿入部９ｂが挿入されることにより、上沓４と下沓５の相対的な橋軸方向の移動が阻止される。これにより支承装置１の据付施工が完了し、この支承装置１は供用に際しては、橋桁１２の上下回転だけを許容して橋桁１２を支持する。
【００２６】
施工現場では上下方向は橋桁１２と橋脚１３とに挟まれてスペース的な余裕がない。しかし、本発明によれば、スペーサ９を取り付けて固定する作業は、施工現場において比較的広いスペース９を確保できるサイドブロック８の橋軸直角方向外側から行なうことができる。それ故、この作業に多大な工数を要することがなく、作業が容易になって軽労化には非常に有利になる。
【００２７】
この実施形態のように、サイドブロック８の上方突出部８ａの橋軸直角方向外側および橋軸方向両側に載置部８ｃが形成されている仕様にするだけでなく、上方突出部８ａをサイドブロック８の橋軸直角方向寸法と同一に形成して上方突出部８ａの橋軸直角方向外側に載置部８ｃがない仕様にすることもできる。しかしながら、この実施形態のように載置部８ｃが形成されていると、スペーサ９を載置部８ｃに安定して載置した状態で取付ボルト１０によってサイドブロック８に取り付けることができる。これにより、スペーサ９の取付作業がより一層容易になる。
【００２８】
スペーサ９はこの実施形態に例示したものに限らず様々な形状のものを採用することができる。例えば、図７に示す実施形態のように複数のスペーサ９、スペーサ９Ａ、９Ｂを用いることができる。
【００２９】
この実施形態の場合、スペーサ９、９Ａ、９Ｂの挿入部９ｂを橋軸方向に重ねてすき間Ｓ１、Ｓ２に挿入するとともに、それぞれの取付部９ｃを橋軸直角方向に重ねた状態にしてこれらスペーサ９、９Ａ、９Ｂを配置する。この実施形態ではそれぞれのスペーサ９Ａ、９Ｂは、貫通穴９ａを有する取付部９ｃと、取付部９ａの橋軸方向一端部に挿入部９ｂとを備えていて、平面視でＬ字形状になっている。
【００３０】
このように橋軸直角方向に重ねたスペーサ９、９Ａ、９Ｂの橋軸直角方向外側から、取付ボルト１０をそれぞれのスペーサ９、９Ａ、９Ｂの貫通穴９ａを貫通させてサイドブロック８（上方突出部８ａ）のボルト穴８ｂに螺合させて連結させる。この取付ボルト１０によってスペーサ９、９Ａ、９Ｂとサイドブロック８とが一体化する。
【００３１】
この実施形態によっても、スペーサ９を取り付けて固定する作業は、サイドブロック８の橋軸直角方向外側から行なうことができる。それ故、この作業に多大な工数を要することがなく、作業が容易になって軽労化には非常に有利になる。
【００３２】
この実施形態の場合、複数のスペーサ９、９Ａ、９Ｂの挿入部９ｂの厚さを組み合わせてすき間Ｓ１、Ｓ２の寸法に合わせることができる。そのため、すき間Ｓ１、Ｓ２の寸法に合致した挿入部９ｂを有するスペーサ９をその都度、用意する必要がなくなる。即ち、予め複数種類のスペーサ９（９Ａ、９Ｂ）を用意しておけばよい。
【００３３】
この実施形態では、平面視でＣ字形状のスペーサ９とＬ字形状のスペーサ９Ａ、９Ｂとを組み合わせているが、Ｃ字形状だけ、或いは、Ｌ字形状だけを組み合わせることもできる。組み合わせるスペーサ９の数は２個、３個に限らず適切な個数にすることができる。
【符号の説明】
【００３４】
１  支承装置
２  支承体
３  支持部
４  上沓
４ａ  切り欠き部
５  下沓
６  ソールプレート
７  ベースプレート
８  サイドブロック
８ａ  上方突出部
８ｂ  ボルト穴
８ｃ  載置部
８ｄ  貫通穴
８ｅ  固定ボルト
９、９Ａ、９Ｂ  スペーサ
９ａ  貫通穴
９ｂ  挿入部
９ｃ  取付部
１０  取付ボルト（固定部材）
１１  橋梁
１２  橋桁
１３  橋脚
１４  従来の支承体
Ｓ、Ｓ１、Ｓ２  すき間
【図１】
0006390350.tif 000002
【図２】
0006390350.tif 000003
【図３】
0006390350.tif 000004
【図４】
0006390350.tif 000005
【図５】
0006390350.tif 000006
【図６】
0006390350.tif 000007
【図７】
0006390350.tif 000008